(57)【要約】      （修正有）【課題】構造がシンプルで壊れにくく，且つ，組み立てが容易なトレイ状の宙吊り包装箱を提供する。【解決手段】箱本体１は，矩形状の底面１０と，この底面の周囲に立設する前後左右の側壁２０，３０，４０，５０と，を有している。底面に切り込みが形成されることによって，前後方向に延びるように立ち上がる第１支持フラップ１１と，この第１支持フラップに対面するように立ち上がる第２支持フラップ１３と，が設けられている。第１支持フラップと第２支持フラップの上縁には，パック３のフランジを載せて支持することが可能である。中仕切部材２は，第１支持フラップ及び第２支持フラップに直交して嵌合される。この中仕切部材２の下縁部分には，第１支持フラップと嵌合した状態において，第２支持フラップが立ち上がることを阻害しないようにするための切欠部６０が形成されている。【選択図】図１
2014237450.tif 000002
【特許請求の範囲】
【請求項１】
トレイ型の箱本体（１）と，前記箱本体（１）内に配置される中仕切部材（２）とを備え，前記中仕切部材（２）によって仕切られた前記箱本体（１）内の複数の区画のそれぞれに，パック（３）を収納可能な包装箱であって，
前記箱本体（１）は，
矩形状の底面（１０）と，
前記底面（１０）の周囲に立設する前後左右の側壁（２０，３０，４０，５０）と，を有しており，
前記底面（１０）は，
当該底面（１０）に切り込みが形成されることによって，
前後方向に延びるように立ち上がる第１支持フラップ（１１）と，
前記第１支持フラップ（１１）に対面するように立ち上がる第２支持フラップ（１３）と，が設けられており，
前記第１支持フラップ（１１）と前記第２支持フラップ（１３）の上縁には，前記パック（３）のフランジを載せて支持することが可能であり，
前記中仕切部材（２）は，
前記第１支持フラップ（１１）及び前記第２支持フラップ（１３）に直交して嵌合されるものであり，
当該中仕切部材（２）の下縁部分には，前記第１支持フラップ（１１）と嵌合した状態において，前記第２支持フラップ（１３）が立ち上がることを阻害しないようにするための切欠部（６０）が形成されている
包装箱。
【請求項２】
前記底面（１０）は，
当該底面（１０）に切り込みが形成されることによって，
当該底面（１０）の左右方向中央部分に，前後方向に延びるように立ち上がる２つの第１支持フラップ（１１，１２）と，
前記２つの第１支持フラップ（１１，１２）の左右方向外側に，当該２つの第１支持フラップ（１１，１２）のそれぞれと対面するように立ち上がる２つの第２支持フラップ（１３，１４）と，が設けられており，
前記中仕切部材（２）は，
前記２つの第１支持フラップ（１１，１２）及び前記２つの第２支持フラップ（１３，１４）に直交して嵌合されるものであって，
当該中仕切部材（２）の下縁部分には，前記２つの第１支持フラップ（１１，１２）と嵌合した状態において，前記２つの第２支持フラップ（１３，１４）それぞれが立ち上がることを阻害しないようにするための切欠部（６０）が形成されている
請求項１に記載の包装箱。
【請求項３】
前記切欠部（６０）の頂部には，前記第２支持フラップ（１３）の頂部が差し込まれる嵌合溝（６１）が形成されている
請求項１に記載の包装箱。
【請求項４】
前記側壁（２０，３０，４０，５０）のうち，前記中仕切部材（２）と平行に延びる前後一対の側壁（２０，３０）は，それぞれ，
前記底面（１０）に折線を介して連接した前後一対の外側面（２１，３１）と，
前記外側面（２１，３１）に折線を介して連接した前後一対の内側面（２２，３２）と，を備え，
前記前後一対の内側面（２２，３２）を，前記箱本体（１）の内側に向かって折り返すことで，前記前後一対の内側面（２２，３２）と前記前後一対の外側面（２１，３１）とによって，二重の壁が形成されるものであり，
前記前後一対の内側面（２２，３２）には，それぞれ，上下方向に延びる指掛孔（２４，３４）が形成されている
請求項１に記載の包装箱。
【請求項５】
前記側壁（２０，３０，４０，５０）のうち，前記中仕切部材（２）と直交する方向に延びる左右一対の側壁（４０，５０）には，それぞれ，差込孔（４３，５３）が形成されており，
前記中仕切部材（２）は，左右方向の先端に，前記差込孔（４３，５３）に差し込み可能な係止片（６２）を有する
請求項１に記載の包装箱。
【発明の詳細な説明】
【技術分野】
【０００１】
本発明は，例えばイチゴやサクランボのような青果用の樹脂パックを運搬するのに好適なトレイ状の包装箱に関する。特に，本発明は，樹脂パックの縁を引っ掛けて支持することにより，樹脂パックの底を浮かせて，樹脂パックの底面がトレイの底面に接触することを避けるようにしたトレイ状の包装箱に関するものである。
【背景技術】
【０００２】
従来から，例えばイチゴのような青果を収納した樹脂パックを市場や販売店に出荷する際には，上面開口型のダンボール製包装箱（トレイ状包装箱）に樹脂パックを複数個収納し，このトレイによって樹脂パック内の青果が傷まないように運搬していた。このような青果用のトレイ状包装箱としては，トレイの内部に中仕切部材を設置し，この中仕切部材によって仕切られたトレイ内の複数の区画のそれぞれに，樹脂パックを収納可能とするものが知られている。
【０００３】
また，従来から，樹脂パックに収納されるイチゴなどの青果が輸送時に痛むことを防止するために，トレイ内に収納された樹脂パックを，このトレイの底面から浮かせた状態に支持する機構が設けられた包装箱が知られている（例えば，特許文献１，特許文献２）。すなわち，青果を収納するパックとしては，一般的に，上部開口の周縁にフランジを有する薄い樹脂製の容器が用いられる（図２参照）。このような樹脂製のパックは，押圧や衝撃に弱く変形しやすいものである。このため，青果を載せた樹脂パックをトレイの底面に直接置くと，運搬時における振動や青果自体の荷重により樹脂パックの底が変形し，樹脂パック内の青果が傷んでしまう恐れがあった。そこで，特許文献１や特許文献２に開示された包装箱は，輸送時における青果の荷痛みを解消するために，トレイの底面から切り出した複数の支持フラップを立ち上げ，この支持フラップの頂部に樹脂パックのフランジを載せることで，樹脂パックの底がトレイの底から浮くように支持している。また，従来の包装箱は，複数の支持フラップに中仕切部材を直交させて嵌め込むことで，トレイ内部の収納空間を区分けし，この区分けされたトレイ内部に複数の樹脂パックを収納することができるようになっている。
【先行技術文献】
【特許文献】
【０００４】
【特許文献１】特開２００４−２５００９８号公報
【特許文献２】特開２００８−２５４７４６号公報
【発明の概要】
【発明が解決しようとする課題】
【０００５】
しかしながら，従来の包装箱のように，トレイの底面から複数の支持フラップを立ち上げて，この複数の支持フラップに中仕切部材を嵌合させ，各支持フラップの頂縁に樹脂パックを載せて支持する構造である場合，包装箱を組み立てる作業，特に複数の支持フラップと中仕切部材を嵌合させる作業に手間が掛かるという問題があった。例えば，トレイの底面から４つの支持フラップを立ち上げて，全ての支持フラップに１つの中仕切部材を嵌合させる包装箱の構造を考えると，一方の手で支持フラップを立ち上げた状態を維持しつつ，他方の手で立ち上がった状態の支持フラップに対し中仕切部材を嵌合させる作業を行う必要がある。ところが，片手では２つの支持フラップを立ち上げてその状態を保持することは容易であっても，４つの支持フラップを同時に立ち上げて保持しておくことは困難である。このように，４つの支持フラップに同時に中仕切部材を嵌合させるという作業を一人で行うことは困難であり，このような構造を持つ包装箱は組み立てに時間が掛かるという問題があった。
【０００６】
また，特許文献１や特許文献２に開示された発明は，上記した包装箱の組み立て時における作業性を改良するための工夫が施されている。すなわち，特許文献１の包装箱は，中仕切部材の先端部分にパック支持片が設けられており，このパック支持片と底面から切り出した支持フラップとによって樹脂パックを宙吊り状態で支持することとしている。また，特許文献２の包装箱は，トレイの内側面に対向する突出部を形成し，その突出部とトレイ内に設置する中仕切部材によって樹脂パックを宙吊り状態で支持することとしている。しかしながら，特許文献１の包装箱のように，中仕切部材の先端部分に設けられたパック支持片は，構造的な強度が低いものであり，輸送時の衝撃で壊れやすくという問題があった。また，特許文献２の包装箱のように，トレイの内側面に突出部を形成することとすると，その包装箱の構造が複雑になって，その製造にコストが掛かったり，組み立て作業が複雑になるという問題あった。
【０００７】
上記のように，トレイ状の宙吊り方法箱は，構造をシンプルにしようとすると組み立て時の作業が困難になり，一方で，組み立て時の作業性を良くしようとすると構造が複雑になったり壊れやすくなるという問題を有していた。
このため，現在では，トレイの底面から切り出された複数の支持フラップに中仕切部材を嵌合させ，この支持フラップの頂縁に樹脂パックを載せて宙吊り状態で支持する包装箱であって，構造がシンプルで壊れにくく，且つ，組み立てが容易な包装箱が求められている。
【課題を解決するための手段】
【０００８】
そこで，本発明の発明者は，上記従来発明の問題点を解決する手段について鋭意検討した結果，トレイ状の箱本体の中に設置される中仕切部材の下縁部分に切欠きを設けることで，構造がシンプルな包装箱であっても，組み立て作業が容易になるという知見を得た。すなわち，中仕切部材の下縁に切欠きを設けることで，この中仕切部材は，箱本体の底面を切り出して形成された支持フラップが立ち上がることを阻害しないようになる。このため，本発明の包装箱は，樹脂パックを支持する一対の支持フラップのうち，まず一方の支持フラップを立ち上げて中仕切部材を嵌合させ，その後に他方の支持フラップを立ち上げて中仕切部材と嵌合させるという作業を行うことで組み立てることができる。これにより，樹脂パックを支持する一対の支持フラップを同時に立ち上げておく必要がなくなるため，組み立て作業を行い易くなる。そして，本発明者は，上記知見に基づけば，従来技術の課題を解決できることに想到し，本発明を完成させた。
具体的に説明すると，本発明は以下の構成を有する。
【０００９】
本発明の包装箱は，トレイ状の箱本体１と，箱本体１内に配置される中仕切部材２とを備える。これにより，本発明の包装箱は，中仕切部材２によって仕切られた箱本体１内の複数の区画のそれぞれに，パック３を収納することができる。
箱本体１は，矩形状の底面１０と，この底面１０の周囲に立設する前後左右の側壁２０，３０，４０，５０と，を有している。
また，底面１０には，切り込みが形成されることによって，前後方向に延びるように立ち上がる第１支持フラップ１１と，第１支持フラップ１１に対面するように立ち上がる第２支持フラップ１３と，が設けられている。このため，第１支持フラップ１１と第２支持フラップ１３の上縁には，パック３のフランジを載せて支持することが可能となっている。
また，中仕切部材２は，第１支持フラップ１１及び第２支持フラップ１３に直交して嵌合される。
そして，中仕切部材２の下縁部分には，第１支持フラップ１１と嵌合した状態において，第２支持フラップ１３が立ち上がることを阻害しないようにするための切欠部６０が形成されている。
【００１０】
上記構成のように，本発明の包装箱は，箱本体１の中に設置される中仕切部材２の下縁部分に切欠部６０が形成されている。この切欠部６０は，中仕切部材２が，パック３を支持する一対の支持フラップ１１，１３のうちの一方（第２支持フラップ１３）が底面１０から立ち上がることを阻害しない位置及び範囲で形成されている。このため，本発明の包装箱を組み立てる際には，まず，底面１０から第１支持フラップ１１を立ち上げて，この第１支持フラップ１１と中仕切部材２を嵌合させる。その後，第１支持フラップ１１と中仕切部材２が嵌合したままの状態で，第２支持フラップ１３を立ち上げて，この第２支持フラップ１３と中仕切部材２とを嵌合させることができる。このように，本発明では，第１支持フラップ１１と第２支持フラップ１３の両方を立ち上げた状態で中仕切部材２を嵌合させる必要がなく，第１支持フラップ１１と第２支持フラップ１３を順次立ち上げることができるため，組立作業が容易になる。また，パック３を支持するための支持フラップ１１，１３は，箱本体１の底面１０から切り出したものである。このため，本発明の包装箱は，パック３を宙吊り状態で支持するための構造が比較的シンプルなものであり，また，その構造も壊れ難くなっている。
【００１１】
本発明の包装箱において，底面１０には，切り込みが形成されることによって，２つの第１支持フラップ１１，１２と，２つの第２支持フラップ１３，１４が設けられていることが好ましい。ここで，２つの第１支持フラップ１１，１２は，底面１０の左右方向中央部分において，前後方向に延びるように立ち上がるフラップである。また，２つの第２支持フラップ１３，１４は，第１支持フラップ１１，１２の左右方向外側において，その２つの第１支持フラップ１１，１２のそれぞれと対面するように立ち上がるフラップである。
また，中仕切部材２は，２つの第１支持フラップ１１，１２及び２つの第２支持フラップ１３，１４に直交して嵌合される。
そして，中仕切部材２の下縁部分には，２つの第１支持フラップ１１，１２と嵌合した状態において，２つの第２支持フラップ１３，１４それぞれが立ち上がることを阻害しないようにするための切欠部６０が形成されている。
【００１２】
上記構成のように，底面１０に，２つの第１支持フラップ１１，１２と，２つの第２支持フラップ１３，１４を形成し，これら４つのフラップに中仕切部材２を嵌合させることで，箱本体１内には，少なくとも合計４つのパック３を宙吊り状態で保持することができるようになる。
【００１３】
本発明の包装箱において，切欠部６０の頂部には，第２支持フラップ１３の頂部が差し込まれる嵌合溝６１が形成されていることが好ましい。
【００１４】
上記構成のように，切欠部６０の頂部に嵌合溝６１を形成することで，第２支持フラップ１３が切欠部６０を通過して起立した後，この嵌合溝６１に嵌り込んで固定されるようになる。これにより，第２支持フラップ１３の起立状態が安定する。
【００１５】
本発明に包装箱において，側壁２０，３０，４０，５０のうち，中仕切部材２と平行に延びる前後一対の側壁２０，３０は，それぞれ，底面１０に折線を介して連接した前後一対の外側面２１，３１と，外側面２１，３１に折線を介して連接した前後一対の内側面２２，３２と，を備えることが好ましい。これにより，前後一対の内側面２２，３２を，箱本体１の内側に向かって折り返すことで，前後一対の内側面２２，３２と前後一対の外側面２１，３１とによって，二重の壁が形成される。
このような場合において，前後一対の内側面２２，３２には，それぞれ，上下方向に延びる指掛孔２４，３４が形成されていることが好ましい。
【００１６】
上記構成のように，二重に形成した前後一対の側壁２０，３０のうち，その内側面２２，３２に指掛孔２４，３４を形成することで，箱本体１内に収容されたパック３の出し入れを行いやすくなる。また，指掛孔２４，３４を形成したとしても，前後一対の側壁２０，３０は二重構造となっているため，側壁に完全な開口が形成されることもなく，箱本体１の強度を維持できる。
【００１７】
本発明の包装箱において，側壁２０，３０，４０，５０のうち，中仕切部材２と直交する方向に延びる左右一対の側壁４０，５０には，それぞれ，差込孔４３，５３が形成されていることが好ましい。
この場合に，中仕切部材２は，左右方向の両先端に，差込孔４３，５３に差し込み可能な係止片６２を有することが好ましい。
【００１８】
上記構成のように，左右一対の側壁４０，５０に差込孔４３，５３を設け，中仕切部材２に係止片６２を設けることで，中仕切部材２を箱本体１内に収納したときに，中仕切部材２が左右一対の側壁４０，５０によってロックされるようになる。このため，中仕切部材２と箱本体１の係合状態が強固になる。また，本発明では，中仕切部材２と箱本体１が強固に係合している状態で，第２支持フラップ１３を立ち上げる作業を行うことができる。従って，包装箱の組み立て作業がさらに簡易になる。
【発明の効果】
【００１９】
本発明は，トレイの底面から切り出された複数の支持フラップに中仕切部材を嵌合させ，この支持フラップの頂縁に樹脂パックを載せて宙吊り状態で支持する包装箱に関する。そして，本発明によれば，構造がシンプルで壊れにくく，且つ，組み立てが容易な包装箱を提供することができる。
【図面の簡単な説明】
【００２０】
【図１】図１は，本発明の一実施形態に係る包装箱を示した展開図である。
【図２】図２は，本発明の包装箱に収納される樹脂パックを示した斜視図である。
【図３】図３は，本発明の包装箱を組み立てる手順を説明するための斜視図である。
【図４】図４は，本発明の包装箱を組み立てる手順を説明するための斜視図である。
【図５】図５は，本発明の包装箱を組み立てる手順を説明するための斜視図である。
【図６】図６は，第２支持フラップを立ち上げる様子を拡大して示した斜視図である。
【図７】図７は，中仕切部材に形成された切欠部の形状を具体的に示した模式図である。
【図８】図８は，包装箱内に樹脂パックが収納された状態を示した断面図である。
【発明を実施するための形態】
【００２１】
以下，図面を用いて本発明を実施するための形態について説明する。本発明は，以下に説明する形態に限定されるものではなく，以下の形態から当業者が自明な範囲で適宜修正したものも含む。
なお，本願明細書において，「前後方向」とは，箱本体の前後一対の側壁を（前側壁２０と後側壁３０）とを結ぶ方向と意味する。また，「左右方向」とは，箱本体の左右一対の側壁（左側壁４０と右側壁５０）とを結ぶ方向を意味する。この「前後方向」と「左右方向」は，平面的にみて，互いに直交する方向である。また，「上下方向」とは，包装箱の組み立て時における上下方向を意味する。「上下方向」は，「前後方向」及び「左右方向」に対し立体的に直交する方向である。
なお，本願明細書において，「Ａ〜Ｂ」とは，「Ａ以上Ｂ以下」であることを意味する。
【００２２】
図１は，本発明に係る包装箱１００の一実施形態を示す展開図である。図１に示されるように，包装箱１００は，一枚の段ボールシートによって構成される箱本体１と，一枚の段ボールシートによって構成される中仕切部材２を有している。箱本体１は，折線に従って折り曲げて組み立てることで天面部分が開放されたトレイ状となる。また，中仕切部材２は，トレイ状の箱本体１の中に収納される部材であり，箱本体１の内部空間を仕切ることで複数の区画を形成する。
【００２３】
また，図２は，本発明の包装箱１００によって収納されるパック３の一例を示した斜視図である。先に，本発明の包装箱１００による包装対象物であるパック３について説明する。図２に示されるように，パック３は，例えば，底部７１と，底部７１に対して外側に傾斜するように延設された左右一対の側部７２及び前後一対の前後部７３と，側部７２及び前後部７３の上端縁から外側に突出したフランジ７４を有している。そして，パック３は，側部７２及び前後部７３の上端縁に沿って，開口が形成されている。本発明の包装箱１００は，基本的に，上記のような構成を有するパックであれば，公知のパックを包装対象物とすることができる。パック３は，例えば，ポリエチレン（ＰＥ），ポリプロピレン（ＰＰ），ポリ塩化ビニル（ＰＶＣ），ポリスチレン（ＰＳ），ポリ酢酸ビニル（ＰＶＡｃ），ポリテトラフルオロエチレン（ＰＴＦＥ），又はＡＢＳ樹脂により形成された透明な樹脂パックであることが好ましい。
【００２４】
続いて，本発明に係る包装箱１００の構造について詳しく説明する。
図１に示されるように，箱本体１は，前後左右の中央に矩形状（四角形状）の底面１０を有する。また，底面１０の周囲には，底面１０の４辺を折線（Ｂ，Ｅ）として，前側壁２０，後側壁３０，左側壁４０，及び右側壁５０が連接している。ここで，前側壁２０と後側壁３０は，互いに対向するものであり，前側壁２０と後側壁３０を結ぶ方向が包装箱の「前後方向」となる。また，左側壁４０と右側壁５０は，互いに対向するものであり，左側壁４０と右側壁５０を結ぶ方向が包装箱の「左右方向」となる。前後一対の前側壁２０・後側壁３０と，左右一対の左側壁４０・右側壁５０は，それぞれ互いに直交している。これにより，前後左右の側壁２０，３０，４０，５０を底面１０の周囲において起立させることで，包装箱１００は，天面部分が開放されたトレイ状に組み立てられる。
【００２５】
また，図１に示した実施形態において，前側壁２０と後側壁３０は，二重構造となっている。すなわち，前側壁２０は，底面１０と折線（Ｅ）を介して連接した前外側面２１と，この前外側面２１と折線（Ｆ）を介して連接し前後方向に延在する前内側面２２を有している。同様に，後側壁３０は，底面１０と折線（Ｅ）を介して連接した後外側面３１と，この後外側面３１と折線（Ｆ）を介して連接し前後方向に延在する後内側面３２を有している。なお，図１に示されるように，前外側面２１と前内側面２２の境界に形成された折線（Ｆ）と，後外側面３１と後内側面３２の境界に形成された折線（Ｆ）は，平行な２本の罫線であることが好ましい。また，折線（Ｆ）を形成する二本の罫線の間には，所定幅（５ｍｍ〜３０ｍｍ）の間隔が設けられていていることが好ましい。
【００２６】
また，図１に示されるように，本実施形態において，左側壁４０と右側壁５０には，それぞれ折込片と支持片が連接している。すなわち，左側壁４０には，折線（Ｃ）を介して，前後方向に延在する一対の左折込片４１が連接している。また，一対の左折込片４１には，それぞれ，折線（Ｄ）を介して，左右方向に延在する一対の左支持片４２が連接している。同様に，右側壁５０には，折線（Ｃ）を介して，前後方向に延在する一対の右折込片５１が連接している。また，一対の右折込片５１には，それぞれ，折線（Ｄ）を介して，左右方向に延在する一対の右支持片５２が連接している。左右の折込片４１，５１は，それぞれ，包装箱の組み立て時において，前側壁２０を構成する前外側面２１と前内側面２２の間に折り込まれると共に，後側壁３０を構成する後外側面３１と後内側面３２の間に折り込まれるようになっている。また，左右の支持片４２，５２は，上記のようにして，左右の折込片４１，５１が折り込まれた際に，前側壁２０を構成する前外側面２１と前内側面２２の間の隙間，及び後外側面３１と後内側面３２の間の隙間を一定に保つように，これらの側面を支持するように機能する。このため，左右の支持片４２，５２の幅は，前外側面２１と前内側面２２の境界に形成された折線（Ｆ）における二本の罫線の間の幅と，後外側面３１と後内側面３２の境界に形成された折線（Ｆ）における二本の罫線の間の幅と，略等しいことが好ましい。なお，ここで「略等しい」とは，±５ｍｍ以内の誤差を許容することを意味する。
【００２７】
また，図１に示されるように，前内側面２２と後内側面３２は，それぞれ，組立状態にあるときの下方に向かって延出した複数の突起２３，３３が形成されている。他方，底面１０には，この突起２３，３３と対応する位置に，複数のロック孔１５が形成されている。このため，前内側面２２と後内側面３２を折り曲げて，前側壁２０と後側壁３０を２重構造とした際に，複数の突起２３，３３が，それぞれ底面１０のロック孔１５に差し込まれて，前内側面２２及び後内側面３２が底面１０にロックされる。
【００２８】
また，本実施形態において，前側壁２０を構成する前外側面２１と前内側面２２のうち，前内側面２２には，上下方向に延びる指掛孔２４が形成されている。また，後側壁３０を構成する後外側面３１と後内側面３２のうち，後内側面３２にも，上下方向に延びる指掛孔３４が形成されている。このように，前後一対の側壁２０，３０に，それぞれ指掛孔２４，３４を形成することで，包装箱１００内に収納される複数のパック３の出し入れを行いやすくなる。
【００２９】
また，本実施形態において，底面１０には，４つの支持フラップ１１，１２，１３，１４が形成されている。各支持フラップ１１〜１４は，底面１０から切り出されたものであり，底面１０の前後方向に延びる折線（Ｇ，Ｈ）を介して，底面１０と一体的に連結している。すなわち，各支持フラップ１１〜１４は，略コの字型の切り込み線と，一本の折線（Ｇ，Ｈ）において周囲を囲われた領域である。このため，各支持フラップ１１〜１４は，折線（Ｇ，Ｈ）を基点として，上方向に向かって起立することができるようになっている。具体的に説明すると，底面１０における左右方向の中央部分には，左第１支持フラップ１１と右第１支持フラップ１２の２つフラップが形成されている。これらの左第１支持フラップ１１と右第１支持フラップ１２は，前後方向に延びる折線（Ｇ）において底面１０と連結しており，この折線（Ｇ）以外の部分は底面１０から切り離されている。他方，左第１支持フラップ１１の左右方向外側には，左第２支持フラップ１３形成され，右第１支持フラップ１２の左右方向外側には，右第２支持フラップ１４が形成されている。これらの左第２支持フラップ１３と右第２支持フラップ１４は，前後方向に延びる折線（Ｈ）において底面１０と連結しており，この折線（Ｈ）以外の部分は底面１０から切り離されている。ここで，左第１支持フラップ１１と左第２支持フラップ１３は，起立した状態において互いに対面し合う。また，右第１支持フラップ１２と右第２支持フラップ１４は，起立した状態において互いに対面し合うようになっている。
【００３０】
また，底面１０から切りだされた各支持フラップ１１〜１４には，それぞれ，起立した状態の上縁（頂部）に，嵌合溝１１ａ，１２ａ，１３ａ，１４ａが形成されている。これらの嵌合溝１１ａ〜１４ａは，それぞれ，各支持フラップ１１〜１４の前後方向における中央部分に形成されている。これらの嵌合溝１１ａ〜１４ａには，中仕切部材２が嵌り込むこととなる。
【００３１】
本実施形態において，包装箱１００は，箱本体１とは別体として，中仕切部材２を有している。中仕切部材２は，トレイ状の箱本体１の収納空間を仕切るために用いられる板状の部材である。図１に示されるように，中仕切部材２は，一枚の段ボールシートによって形成されている。本実施形態において，中仕切部材２は，中央に設けられた折線（Ａ）において二つ折りにすることができるようになっている。中仕切部材２は，この中央の折線（Ａ）を軸として線対称となる形状となっている。このように，中仕切部材２を２重構造とすることで，その強度が向上する。中仕切部材２は，中央の折線（Ａ）が上縁となり，折線（Ａ）と反対側の辺が下縁となる。
【００３２】
図１に示されるように，中仕切部材２の下縁部分には，複数の嵌合溝６１が形成されている。中仕切部材２は，箱本体１の各支持フラップ１１〜１４と直交するようにして嵌め込まれる。つまり，中仕切部材２の嵌合溝６１は，各支持フラップ１１〜１４の嵌合溝１１ａ〜１４ａと対応する位置に形成されており，これらの嵌合溝を合わせるようにして，中仕切部材２は，各支持フラップ１１〜１４に直交するように嵌め込むことができる。すなわち，図１に示されるように，各支持フラップ１１〜１４は前後方向に延びるようにして起立する。これに対し，中仕切部材２は，各支持フラップ１１〜１４に直交して，左右方向に延びるようにして，箱本体１内に設置される。これにより，箱本体１内の収納空間が中仕切部材２によって区画される。
【００３３】
ここで，本発明において，中仕切部材２の下縁部分には，切欠部６０が形成されている。本実施形態において，切欠部６０は，左右方向外側の両端部分に形成されている。この切欠部６０は，中仕切部材２と，左第１支持フラップ１１及び右第１支持フラップ１２とを直交して嵌合させた状態において，中仕切部材２が，左第２支持フラップ１３と右第２支持フラップ１４とが底面１０から立ち上がることを阻害しないようにするために設けられたものである。すなわち，中仕切部材２が左第１支持フラップ１１及び右第１支持フラップ１２に嵌合したままの状態であっても，左第２支持フラップ１３と右第２支持フラップ１４は，中仕切部材２の切欠部６０を通過して，上方に向かって立ち上がることができるようになっている。本実施形態では，切欠部６０の縁は，略円弧状に形成されている。ただし，切欠部６０の形状は，略円弧状のものに限られず，左右の第２支持フラップ１３，１４の起立を阻害しない形状であれば，どのような形状であってもよい。例えば，切欠部６０の形状としては，矩形であってもよいし，その他多角形状に中仕切部材２を切り抜いたものであってもよい。
【００３４】
ここにいう「阻害」とは，第１支持フラップ１１，１２を立ち上げて，この第１支持フラップ１１，１２と中仕切部材２を嵌合させた後に，第１支持フラップ１１，１２と中仕切部材２の嵌合状態を維持し続けながら，第２支持フラップ１３，１４を立ち上げて，この第２支持フラップ１３，１４と中仕切部材２を嵌合させるという動作を行うことができないことを意味する。例えば，第２支持フラップ１３，１４を立ち上げる際に，この第２支持フラップ１３，１４が中仕切部材２の下縁部分に多少接触する場合であっても，段ボールの柔軟性を利用して，第２支持フラップ１３，１４を押し込むことで立ち上げることができるのであれば，この構造は「阻害しないもの」であるといえる。また，例えば，第２支持フラップ１３，１４の頂部を１ｍｍ〜１５ｍｍ程度押し潰したり，第１支持フラップ１１，１２と中仕切部材２の嵌合状態を維持できる程度に中仕切部材２を上方に持ち上げたりすることで，第２支持フラップ１３，１４を立ち上げることができるのであれば，この構造は「阻害しないもの」であるといえる。他方，第２支持フラップ１３，１４を立ち上げるときに，中仕切部材２と第２支持フラップ１３，１４のいずれかが破れてしまったり，中仕切部材２と第１支持フラップ１１，１２の嵌合状態が解除されてしまうような場合には，この構造は「阻害するもの」であるといえる。
【００３５】
このように，中仕切部材２の下縁部分に，第２支持フラップ１３，１４の立ち上がりを阻害しないようにするための切欠部６０を設けることで，詳しくは後述するように，包装箱１００の組み立て作業が簡便なものとなる。
【００３６】
また，図１に示されるように，各切欠部６０の頂部には，左右の第２支持フラップ１３，１４の頂部が差し込まれる嵌合溝６１が形成されている。この切欠部６０の頂部に形成された嵌合溝６１には，左右の第２支持フラップ１３，１４の頂部のうちの嵌合溝１３ａ，１４ａが形成された部分が嵌め込まれるようになっている。このように，中仕切部材２と左右の第２支持フラップ１３，１４の嵌合溝を互いにあわせることで，両者の係合状態が強固になる。
【００３７】
また，図１に示されるように，中仕切部材２の左右方向の両端部には，左右方向に突出した係止片６２が設けられている。この係止片６２は，切欠部６０の頂部に形成された嵌合溝６１に隣接する位置に設けられていることが好ましい。他方，図１に示されるように，左右一対の側壁４０，５０のそれぞれには，差込孔４３，５３が形成されている。このように，中仕切部材２を折線（Ａ）において二つ折りにした状態において，中仕切部材２の係止片６２を，左右一対の側壁４０，５０の差込孔４３，５３に差し込むことができるようになっている。これにより，中仕切部材２は，箱本体１の左右一対の側壁４０，５０にロックされる。
【００３８】
また，中仕切部材２にも，一又は複数の指掛孔６３を形成することができる。指掛孔６３は，中央の折線（Ａ）を頂部として，上下方向に延びるように形成されている。中仕切部材２にも指掛孔６３を形成しておくことで，箱本体１内に収納されたパック３を取り出しやすくなる。
【００３９】
続いて，図３〜図６を参照して，上記構成を有する包装箱１００の組み立て方を説明する。本実施形態に係る包装箱１００は，基本的に，図１に示された各種折線Ａ〜Ｈを，このアルファベット順で折り曲げていくことにより，組み立てることができるようになっている。
【００４０】
まず，図３に示されるように，中仕切部材２を，中央の折線（Ａ）において二つ折りにしておく。他方，箱本体１を図３に示された状態まで組み立てるには，まず，左側壁４０と右側壁５０を，底面１０との境界に位置する折線（Ｂ）において折り曲げて立ち上げる。また，左右の側壁４０，５０に連接した左右の折込片４１，５１を折線（Ｃ）において折り曲げると共に，この左右の折込片４１，５１に連接した左右の支持片４２，５２を折線（Ｄ）において折り曲げる。その後，前外側面２１と後外側面３１を，底面１０との境界に位置する折線（Ｅ）において折り曲げて立ち上げる。その後，前内側面２２と後内側面３２を，折線（Ｆ）において折り返して，前外側面２１と前内側面２２の間，及び後外側面３１と後内側面３２との間において，左右の折込片４１，５１及び左右の支持片４２，５２を抱き込む。そして，前内側面２２の突起２３と後内側面３２の突起３３を，底面１０のロック孔１５に差し込む。これにより，二重構造となった前側壁２０と後側壁３０を形成することができる。このようにして，箱本体１をトレイ状に組み立てることができる。
【００４１】
上記のようにして箱本体１をトレイ状に組み立てた後，図３に示されるように，まずは，左第１支持フラップ１１と右第１支持フラップ１２を，折線（Ｇ）に沿って折り曲げて底面１０から起立させる。その後，左右の第１支持フラップ１１，１２を起立させた状態で，中仕切部材２を，箱本体１内に設置する。すなわち，左右の第１支持フラップ１１，１２に形成された嵌合溝１１ａ，１２ａと，中仕切部材２に形成された嵌合溝６１を噛み合わせて，中仕切部材２を，左右の第１支持フラップ１１，１２に直交するように嵌め込む。また，中仕切部材２の左右両端部分に設けられた係止片６２を，箱本体１の左右の側壁４０，５０に形成された差込孔４３，５３に差し込む。このようにして，中仕切部材２が箱本体１内に設置された状態が，図４に示されている。図４に示されるように，中仕切部材２を左右の第１支持フラップ１１，１２を嵌合させて，箱本体１内に設置する段階においては，左第２支持フラップ１３と右第２支持フラップ１４は寝かしたままの状態としておくことができる。
【００４２】
そして，中仕切部材２を箱本体１に設置する作業が完了した後，図５に示されるように，左第２支持フラップ１３と右第２支持フラップ１４を，折線（Ｈ）に沿って折り曲げて底面１０から起立させる。また，図６には，左右の第２支持フラップ１３，１４のうち，左第２支持フラップ１３の立ち上がる様子が拡大して示されている。図５及び図６に示されるように，本発明の包装箱１００は，上述した通り，中仕切部材２の左右両端の下縁部分に切欠部６０が形成されている。この切欠部６０は，左右の第２支持フラップ１３，１４が立ち上がることを阻害しない形状となっている。このため，図５に示されるように，左右の第１支持フラップ１１，１２と中仕切部材２とが嵌合して，箱本体１内に中仕切部材２を設置する作業が完了した後であっても，左右の第２支持フラップ１３，１４は，中仕切部材２に阻害されることなく，切欠部６０を通過して，上方に向かって立ち上がるようになる。そして，図６に示されるように，左右の第２支持フラップ１３，１４は，完全に立ち上がったときに，中仕切部材２の切欠部６０の頂部に設けられた嵌合溝６１に嵌り込むようになっている。これにより，左右の第２支持フラップ１３，１４と中仕切部材２の嵌合状態がロックされる。
【００４３】
上述のように，本発明の包装箱１００を組み立てる際には，まず，底面１０から第１支持フラップ１１，１２を立ち上げて，この第１支持フラップ１１，１２と中仕切部材２を嵌合させる。その後，第１支持フラップ１１，１２と中仕切部材２が嵌合したままの状態で，第２支持フラップ１３，１４を立ち上げて，この第２支持フラップ１３，１４と中仕切部材２とを嵌合させることができる。このように，本発明では，第１支持フラップ１１，１２と第２支持フラップ１３，１４の両方を立ち上げた状態で中仕切部材２を嵌合させる必要がなく，第１支持フラップ１１，１２と第２支持フラップ１３，１４を順次立ち上げるようにして組み立てることができるため，組立作業が簡便になる。
【００４４】
上記のようにして包装箱１００の組み立てが完了すると，その包装箱１００内には，複数のパック３を収納することができる。図５に示した実施形態に係る包装箱１００は，合計４つのパック３を収納可能である。すなわち，互いに対面する左第１支持フラップ１１と左第２支持フラップ１３とによって，中仕切部材２を挟んで，２つのパック３を保持することができる。また，互いに対面する右第１支持フラップ１２と右第２支持フラップ１４とによって，中仕切部材２を挟んで，２つのパック３を保持することができる。このように，包装箱１００全体として収納可能なパック３の数は４つとなっている。
【００４５】
ここで，中仕切部材２に形成された切欠部６０の形状について，さらに詳しく説明する。図７は，中仕切部材２における切欠部６０周辺の形状を拡大して示した模式図である。図６において，符号Ｒは，図１に示した符号Ｒと対応している。すなわち，符号Ｒは，第２支持フラップ１３，１４のうち，中仕切部材２の真下に位置する部分における，底面１０との境界に設けられた折線（Ｈ）から第２支持フラップ１３，１４の上縁までの長さである。要するに，符号Ｒは，第２支持フラップ１３，１４のうち，中仕切部材２の切欠部６０を通過する部分の長さ（高さ）である。また，図６には，長さＲを半径とした正円が破線で描かれている。また，破線で示した正円の中心は，符号Ｃで示している。図６に示されるように，正円の中心Ｃは，中仕切部材２の切欠部６０の頂部に形成された嵌合溝６１の真下であって，且つ，中仕切部材２の下縁と高さが一致する位置に置かれている。すなわち，正円の外周は，第２支持フラップ１３，１４が，折線（Ｈ）を起点として回動する軌道を仮想的に示したものである。
【００４６】
このような図６の模式図からもわかるように，長さＲを有する第２支持フラップ１３，１４を，折線（Ｈ）（中心Ｃ）を起点として立ち上げようとすると，第２支持フラップ１３，１４は，切欠部６０を完全に通過することはできずに，一部分だけ中仕切部材２の下縁と接触するようになっている。この図６では，中仕切部材２のうち，第２支持フラップ１３，１４との接触部６４に斜線を施してしめしている。このように，中仕切部材２は，切欠部６０の頂部の近傍において，第２支持フラップ１３，１４の上縁が軽く接触する接触部６４を有することが好ましい。ここにいう「軽い接触」とは，第２支持フラップ１３，１４の起立が阻害されない程度の接触である。このように，中仕切部材２が切欠部６０の頂部近傍に接触部６４を有することで，第２支持フラップ１３，１４が立ち上がって中仕切部材２の嵌合溝６１に嵌り込んだ後に，中仕切部材２と第２支持フラップ１３，１４の嵌合状態が解除されにくくなる。そうすると，第２支持フラップ１３，１４の起立状態が安定する。
【００４７】
図６においては，仮想的な正円（破線）の中心から中仕切部材２の接触部６４までの距離を，符号Ｐで示している。このとき，距離Ｐは，長さＲを１００％としたときに，７０％〜９９％，８０％〜９５％，又は８５％〜９０％の値であることが好ましい。このような値の範囲であれば，接触部６４は，第２支持フラップ１３，１４の起立を阻害することなく，中仕切部材２と第２支持フラップ１３，１４の嵌合状態を良好に保持することができる。また，距離Ｐの値は，切欠部６０の頂部に向かうにつれて徐々に（漸次的に）減少することが好ましい。言い換えると，接触部６４は，切欠部６０の頂部に向かうにつれて徐々に（漸次的に）大きくなることが好ましい。
【００４８】
また，図６の拡大図に示されるように，中仕切部材２の嵌合溝６１に隣接する位置に形成された係止片６２は，上記接触部６４よりも下方に延出していることが好ましい。係止片６２は，接触部６４よりも１ｍｍ〜２０ｍｍ程度下方に延出していればよい。これにより，第２支持フラップ１３，１４が垂直に起立したときに，第２支持フラップ１３，１４の頂部が係止片６２の延出部分に当接するようになる。すなわち，係止片６２が，第２支持フラップ１３，１４のストッパーとして機能する。これにより，第２支持フラップ１３，１４が立ち上がって中仕切部材２の嵌合溝６１に嵌り込んだ後に，中仕切部材２と第２支持フラップ１３，１４の嵌合状態が解除されにくくなる。その結果，第２支持フラップ１３，１４の起立状態が安定する。
【００４９】
図８は，包装箱１００内にパック３を収納した状態を示した断面図である。図８に示されるように，パック３は，箱本体１の支持フラップ１１〜１４によって支持されて，箱本体１の底面１０から浮いた状態で包装箱１００内に収納されている。すなわち，互いに対向する左第１支持フラップ１１と左第２支持フラップ１３の頂部に，パック３のフランジ７４を載せることで，パック３を宙吊り状態で保持することができる。同様に，互いに対向する右第１支持フラップ１２と右第２支持フラップ１４の頂部に，パック３のフランジ７４を載せることで，パック３を宙吊り状態で保持することができる。これにより，各パック３の底部７１は，箱本体１の底面１０から離れたものとなるため，輸送時おいてパック３内の青果（イチゴ等）に押圧や衝撃が加わることを軽減することが可能である。
【００５０】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００５１】
本発明は，例えばイチゴやサクランボのような青果を入れたパックを運搬するのに好適な包装箱に適用することができる。このため，本発明は，包装箱の製造産業において好適に利用し得る。
【符号の説明】
【００５２】
１…箱本体                ２…中仕切部材            ３…パック
１０…底面                １１…左第１支持フラップ  １２…右第１支持フラップ
１３…左第２支持フラップ  １４…右第２支持フラップ  １１ａ〜１４ａ…嵌合溝
１５…ロック孔            ２０…前側壁              ２１…前外側面
２２…前内側面            ２３…突起                ２４…指掛孔
３０…後側壁              ３１…後外側面            ３２…後内側面
３３…突起                ３４…指掛孔              ４０…左側壁
４１…左折込片            ４２…左支持片            ４３…差込孔
５０…右側壁              ５１…右折込片            ５２…右支持片
４３…差込孔              ６０…切欠部              ６１…嵌合溝
６２…係止片              ６３…指掛孔              １００…包装箱
【図１】
2014237450.tif 000003
【図２】
2014237450.tif 000004
【図３】
2014237450.tif 000005
【図４】
2014237450.tif 000006
【図５】
2014237450.tif 000007
【図６】
2014237450.tif 000008
【図７】
2014237450.tif 000009
【図８】
2014237450.tif 000010